(57)【要約】【課題】摂食槽と飼料槽との粒状飼料の乾燥状態を良好に保持し得るようにすること。【解決手段】給餌器本体の奥側と手前側とを区画板３で区画し、手前側を摂食槽１に、奥側を飼料槽２にする。区画板３は、その下端を飼料槽２の底部５ａとの間に間隙３ｃを開けた状態に設置し、その区画板３に調節板４を昇降調節自在に配する。調節板４には、これを昇降操作するための昇降操作部４ａを付設する。また摂食槽１は、その底部５ｂに区画部材６を配して、手前側に位置する手前支分摂食槽１ａと奥側に位置する奥支分摂食槽１ｂとに区画する。区画部材６は、摂食槽１の底部５ｂに当接結合する底板部６ａと、その手前側から垂直に立ち上がる直立部６ｂと、その上端から奥側に下降傾斜する斜面部６ｃとからなる側面から見て直角三角形の部材で構成する。【選択図】　図１
2004016173.tif 000002
【特許請求の範囲】
【請求項１】
給餌器本体の手前側を摂食槽に、奥側を飼料槽に、それぞれ区画板によって区画し、かつ該区画板の下部と給餌器本体の底部との間に前記飼料槽から摂食槽に飼料を流下させる間隙であって、その開度の調節が可能な間隙を設けた飼育動物用給餌器に於いて、
前記摂食槽を、その手前から奥に向かう方向に二以上に区画する一以上の区画部材により、複数の支分摂食槽に区画し、
かつ前記区画部材の手前側の立ち上がりを前記給餌器底部に対し急峻な形状とした飼育動物用給餌器。
【請求項２】
前記給餌器の底部の少なくとも前記区画部材の取付個所付近を同一水平面に構成し、かつ該区画部材を手前奥方向に調節移動自在に構成した請求項１の飼育動物用給餌器。
【発明の詳細な説明】
【０００１】
【発明の属する技術分野】
本発明は、種々の家畜類又は愛玩動物類に飼料を与えるために使用する飼育動物用給餌器に係り、特に摂食槽と飼料槽内に於ける粒状飼料の乾燥状態の保持を図りうる飼育動物用給餌器に関するものである。
【０００２】
【従来の技術】
飼育動物用給餌器としては、愛玩動物用のものも提供されているが、養豚用のそれがよく研究され、かつよく知られている。このような養豚用給餌器には、本件出願人が提案したそれ（特願平１１−１９９２５８号）がある。
【０００３】
これは、給餌器の前部を食餌槽に、後部を飼料槽に区画する区画板の下部と給餌箱底板との間に、上記飼料槽から食餌槽に飼料を流下させる間隙を設け、上記区画板の飼料槽側の面に上記間隙の開きを調節する調節板を備える飼育動物用給餌器に於いて、上記食餌槽を、その前後を区画する区画部材により、上記飼料槽側に位置する奥支分食餌槽とその手前に位置する手前支分食餌槽とに区画し、かつ上記区画部材を前後方向に調整移動可能に配設し、更に上記食餌槽の底部を構成する前記給餌箱底板の内、少なくとも上記区画部材を配した部位の前後付近を同一高さに構成した飼育動物用給餌器である。
【０００４】
飼育豚は、上記飼育動物用給餌器で飼料を摂取する際は、通常、前記飼料槽から前記間隙を通って奥支分食餌槽に流下したそれを摂取することが多く、一時該給餌器を離れてまた摂取する際その他の場合に、前記区画部材を越えて手前支分食餌槽に移動した飼料を摂取したりもするものである。
【０００５】
このような飼育動物用給餌器は、食餌槽に必要以上の飼料を流下させることは、その飼料を摂取する飼育動物の涎その他によって湿気を帯びさせ、黴の発生若しくは腐敗等の不衛生な状態の発生を招くおそれがあるため、できるだけ避ける必要がある。そこで、まず、一次的には、前記調節板を昇降させることによって前記間隙の幅を調節し、飼料の流下量を適切に調節するものであるが、更にこれで不充分な場合は、前記区画部材を前後方向に移動させ、適切な位置に固定することにより、その流下量をより適切に調節しようとするものである。
【０００６】
前記飼料は、前記間隙から流下する際、該間隙から食餌槽の底部上をこの給餌器の手前側に向かって流れていくが、該間隙の上端から飼料の流下先端部までの飼料上面の傾斜が、概ね該飼料に固有の角度になった時点でその流下が停止するものである。したがって前記調節板を上昇させて前記間隙の上端を高くすれば、飼料は、更に食餌槽の底部上をこの給餌器の手前側に向かってより長く流れ出ることになり、短くすれば、逆に短く流れ出ることになるのは云うまでもない。
【０００７】
前記区画部材は、これを前記飼料の流下先端部とそれより奥の位置との間を調節移動させることにより、該飼料の流出量を調節することができるものである。奥に移動させれば、流出量を減少させ、手前側に移動させれば、流出量を増加させることになる。前記流下先端部より手前側に移動させても、それ以上には流出量を増加させ得ないのは云うまでもない。
【０００８】
以上の飼育動物用給餌器は、このように、前記調節板の昇降調節に加えて前記区画部材の前後（手前奥）方向への移動調節を可能としたため、より適切に飼料の流下量を調節できることとなり、これによって食餌槽に必要以上に飼料を流下させず、その飼料に起因する前記のような不衛生な事態の発生を未然に回避しうるようになったものである。
【０００９】
そしてこの限りでは、充分に目的を達成できたものであるが、更に長期の使用の結果、新たな若干の問題の生じうることを知るに至った。
【００１０】
前記のように、前記間隙を通じて流下する飼料は、原則として前記区画部材によって堰き止められ、前記奥支分食餌槽に滞留することになるものであるが、飼育豚がこれを摂取する際等に、例えば、その中の飼料が該飼育豚の鼻先によって種々の外力を受け、その一部が該区画部材を越えて手前支分食餌槽に移動することがある。そしてこのような飼料は、該飼育豚の口の廻りに付いた飲料用の水や涎等で濡れ、湿潤状態になっていることが多いものである。
【００１１】
このような手前支分食餌槽に移動した飼料も、先に述べたように、飼育豚によって摂取されることとなるものであるが、その摂取は、舌で掬うようにして行われるものであり、その摂取態様から飼料は徐々に押されて奥に進み、殆どの場合、前記区画部材の直前で行われる事が多いものである。それ故、飼料の摂取の際に、その一部が該区画部材を越えて、再度、奥支分食餌槽に戻ってしまうことがある。
【００１２】
このように混入した飼料は、先に述べたように、湿潤化したものであり、奥支分摂食槽内に滞留している乾燥飼料にその水分を移動させ、これを湿らせ、これによってカビや腐敗を発生させる原因となるものであり、更にその湿気は飼料槽内の飼料にも伝播して被害を拡大させるおそれもある。こうして、飼料の流下量を適切に調節して、前記のように、流下した飼料を、乾燥度又は湿潤度に応じて分離することを狙った区画部材が、結局は充分に機能しない結果となるおそれが生じるものである。
【００１３】
【発明が解決しようとする課題】
本発明は、以上の従来の飼育動物用給餌器の有する問題点、即ち、飼育動物の摂食動作に伴う飼料の移動が、奥支分摂食槽から手前支分摂食槽には可能でも、その逆方向には容易に生じ得ない区画手段を備えた飼育動物用給餌器を提供することを解決の課題とする。
【００１４】
【課題を解決するための手段】
本発明の１は、給餌器本体の手前側を摂食槽に、奥側を飼料槽に、それぞれ区画板によって区画し、かつ該区画板の下部と給餌器本体の底部との間に前記飼料槽から摂食槽に飼料を流下させる間隙であって、その開度の調節が可能な間隙を設けた飼育動物用給餌器に於いて、
前記摂食槽を、その手前から奥に向かう方向に二以上に区画する一以上の区画部材により、複数の支分摂食槽に区画し、
かつ前記区画部材の手前側の立ち上がりを前記給餌器底部に対し急峻な形状とした飼育動物用給餌器である。
【００１５】
本発明の２は、本発明の１の飼育動物用給餌器に於いて、前記給餌器の底部の少なくとも前記区画部材の取付個所付近を同一水平面に構成し、かつ該区画部材を手前奥方向に調節移動自在に構成したものである。
【００１６】
【発明の実施の形態】
本発明は、給餌器の手前を摂食槽に、奥を飼料槽に、それぞれ区画板によって区画し、かつ該区画板の下部と給餌器底部との間に前記飼料槽から摂食槽に飼料を流下させる間隙であって、その開度の調節が可能な間隙を設けた飼育動物用給餌器に適用するものであり、具体的には、飼料槽を後部に、摂食槽を手前側に、それぞれ配した箱形の構成、または円筒状の飼料槽を中央に、摂食槽をその飼料槽の周囲（奥である中心側に対して周囲である手前側）に、それぞれ配した構成があり得る。
【００１７】
本発明は、以上のような構成の飼育動物用給餌器に於いて、前記摂食槽を、その手前から奥に向かう方向に二以上に区画する一以上の区画部材により、複数の支分摂食槽に区画し、かつ前記区画部材の手前側の立ち上がりを前記給餌器底部に対し急峻な形状としたものである。
【００１８】
前記区画部材は、飼育動物用給餌器として箱形の構成を採用する場合には、前記摂食槽を手前側と奥側とに区画する概ね直線状のそれを構成すれば良い。該区画部材は、二以上のそれを手前奥方向に適当な間隔で配し、摂食槽を三以上に区画することもできる。それぞれの区画部材は手前奥方向に若干移動調整可能に構成することもできる。摂食槽の底部は、区画部材の奥側と手前側に於いて、特に同一高さである必要はなく、必要に応じて一方を高く他方を低く構成することもできるし、傾斜面に構成することも可能である。しかし、上記のように、区画部材を手前奥方向に若干移動調整可能に構成する場合は、該摂食槽の底部は、少なくとも前記区画部材の取付個所付近は同一水平面に構成してある方が好都合である。
【００１９】
前記区画部材は、前記したように、その手前側を急峻に立ち上げるように構成する。該区画部材の手前側の立ち上がり角度は、飼育動物が該区画部材の手前側の支分摂食槽で飼料を摂取する際に、これを越えて飼料を奥側の支分摂食槽に移動させることがない程度のそれとすべきものであるから、手前側の支分摂食槽の底部から概ね直角に立ち上げるのが良い。上記の角度は、上記の趣旨から外れない範囲で直角より若干小さくなっても大きくなっても良い。通常、大きくなるのは、飼料を奥側の支分摂食槽に移動させやすくするので好ましくない。また小さくし過ぎても飼料が該区画部材の基部に溜まりやすくなる等の問題が生じるおそれがあるので好ましくない。
【００２０】
前記区画部材は、その奥側は特に急峻に立ち上げる必要はない。飼育動物が奥側の支分摂食槽の飼料を摂取する際に、その中の飼料が若干手前側に移動するのは許容されるものだからである。
【００２１】
前記区画部材は、飼育動物用給餌器として円筒状の飼料槽とその周囲の摂食槽とからなる構成を採用する場合は、上記摂食槽を、上記飼料槽に対して同心円状に区画するように、環状のそれを構成すれば良い。即ち、上記摂食槽を、環状の区画部材により、円筒状の飼料槽の直近外側の支分摂食槽（奥側の支分摂食槽）とその外側の支分摂食槽（手前側の支分摂食槽）とに区画させるものである。該区画部材は、同心円状に二以上配することが可能であり、そうすれば奥から手前に向かって三以上に摂食槽を区画することができることとなる。
【００２２】
上記区画部材は、先に述べたように、その手前側を急峻に立ち上げるように構成する。その角度等は、飼育動物用給餌器として箱形の構成を採用した場合と全く同様である。
また該区画部材の奥側は急峻に立ち上げる必要はなく、この点も飼育動物用給餌器として箱形の構成を採用した場合と全く同様であるのは云うまでもない。
【００２３】
したがって本発明の飼育動物用給餌器によれば、前記飼料槽中に飼料を充填して使用を開始すると、該飼料槽中の飼料が前記間隙を通じて流下し、該飼料槽に直近の奥側の支分摂食槽に滞留状態となる。流下量は、前記間隙の開度を調節することによって決定することができる。前記区画部材を手前奥方向に移動調節可能に構成してある場合は、これをその方向に移動調節することにより、これによっても流下量を更に微調整することが可能となる。
【００２４】
このように奥側の支分摂食槽に滞留した飼料を飼育動物は摂取する。飼育動物が飼料を摂取し、滞留分が減ると、その分だけ前記間隙を通じて飼料が流下し、該支分摂食槽中の飼料は常時所定の量に維持される。このような飼料の摂取の際に、飼育動物の摂取動作等により、奥側の支分摂食槽の飼料は、その一部が前記区画部材を越えて手前側の支分摂食槽に移動することがある。
【００２５】
そしてこのように手前側の支分摂食槽に移動した飼料は、飼育動物の涎や飼育動物用の飲料水で濡れ、多くの場合湿潤状態になる。またこのような手前側の支分摂食槽の飼料もいずれ飼育動物によって摂取されることが多い。ところで、このような飼料の摂取の際に、多くの飼育動物は飼料を舌で掬うようにして口の中に取り込むものであるため、飼料を奥側に押して行く傾向があり、その結果、前記区画部材の直前で摂食することとなる場合が多い。そのため、該区画部材の手前側がなだらかに構成されていると、これを越えて手前側の支分摂食槽の湿潤した飼料が奥側の支分摂食槽に逆流するおそれが生じるが、本発明に於いては、該区画部材の手前側が急峻に立ち上がった構成となっているため、ここで堰き止められ、奥側の支分摂食槽に戻ってしまうことはない。区画部材が二以上設けられている場合は、最も手前側に移動した飼料はより逆流が困難になり、最奥の支分摂食槽へは殆ど戻ることがなくなる。手前側に移動した飼料程、湿潤度が高くなったり汚れが付着したりする可能性があるので、このように一層逆流が困難になるのは適切である。
【００２６】
したがって奥側の支分摂食槽には、手前側の支分摂食槽から湿潤飼料が移動することがないため、その中の飼料が比較的乾燥状態を保持し得、衛生的な状態を保持し得ることとなるものである。
【００２７】
【実施例】
以下、本発明の飼育動物用給餌器の実施例を図面を参照しながら詳細に説明する。
図１は養豚用に構成した実施例１の飼育動物用給餌器の縦断面側面図、図２はその底部の斜視図である。
図３は養豚用に構成した実施例２の飼育動物用給餌器の縦断面側面説明図、図４はその概略平面説明図である。
【００２８】
＜実施例１＞
この実施例１の飼育動物用給餌器は、養豚用給餌器として構成するものであり、図１に示すように、箱形の給餌器本体の奥側（図１中右側）と手前側（図１中左側）とを区画板３で区画し、該区画板３の手前側を摂食槽１とし、奥側を飼料槽２とする。
【００２９】
この実施例１では、上記区画板３はその下端を奥側に傾けた状態に配したものであり、図１及び図２に示すように、前記飼料槽２の底部５ａはその背後壁２ａから手前側に向かって下降傾斜状態に構成し、摂食槽１側に若干突出したところで水平状態になり、上記摂食槽１の底部５ｂとなって手前側に延長し、前端直前で上向き傾斜になり前端に至るように構成したものである。なお前記区画板３は、図１に示すように、その下端を前記底部５ａとの間に間隙３ｃを開けた状態に設置するものである。上記間隙３ｃは、前記飼料槽２中の飼料を摂食槽１側に流下する場合の最大流下量以上の流下が可能な程度のものとする。
【００３０】
前記区画板３の飼料槽２側の面に平行なガイド板３ａを配設して、該ガイド板３ａと該区画板３との間に板状部材を収納し得る下開きの収納空間３ｂを構成し、該収納空間３ｂに板状の調節板４の上部側を進退昇降自在に挿入する。また上記ガイド板３ａの外面には昇降操作部４ａの操作部本体４ａ１を取り付ける。上記昇降操作部４ａには、その上端に操作部本体４ａ１内の雌ネジ部材を正逆回転させるためのハンドル４ａ２が配してあり、かつ操作部本体４ａ１の下端からは操作棒４ａ３が垂下状態に配してある。この操作棒４ａ３は、その上部のスクリュー部が上記雌ネジ部材の正逆回転で進退昇降するべくねじ込んであるものである。そしてこの昇降操作部４ａの操作棒４ａ３の下部を前記調節板４の下部に結合する。なお前記ガイド板３ａには、該調節板４と操作棒４ａ３との結合部が昇降通過するためのスリットが形成してある。
【００３１】
従って前記調節板４は、前記昇降操作部４ａのハンドル４ａ２を必要に応じて正逆回転させることにより昇降動作し、その下部の間隙３ｃの開度を調節し、該間隙３ｃを通じて飼料槽２から摂食槽１側に流下する飼料の流下量を調節することができることとなる。
【００３２】
前記摂食槽１は、図１に示すように、その底部５ｂの手前奥方向の途中に区画部材６を配して、手前側に位置する手前支分摂食槽１ａと奥側に位置する奥支分摂食槽１ｂとに区画する。上記区画部材６は、図１及び図２に示すように、金属板材を折曲して、側面から見て直角三角形をなす長尺部材に構成する。また該区画部材６は、摂食槽１の底部５ｂに当接する底板部６ａと、その手前側から垂直に立ち上がる直立部６ｂと、その上端から奥側に下降傾斜する斜面部６ｃとからなるものであり、上記底板部６ａの取付孔に配したボルト・ナット７、７…で摂食槽１の底部５ｂに取り付ける。
【００３３】
図１に示すように、前記摂食槽１の底部５ｂには、手前奥方向に平行な複数の取付長孔５ｂ１、５ｂ１…を開口しておき、前記区画部材６の底板部６ａの取付孔を各取付長孔５ｂ１、５ｂ１…に上下対応させると共に、双方に同時にボルト・ナット７、７…を配して該底板部６ａを該摂食槽１の底部５ｂに固設する。必要に応じてボルト・ナット７、７…を緩めることにより、前記取付長孔５ｂ１、５ｂ１…の長さの範囲で前記区画部材６を手前奥方向に動かし、適切な位置に移動させることができる。勿論、移動後は該ボルト・ナット７、７…を締め付けて固定する。既述のように、このように区画部材６を手前奥方向に移動調節することで、飼料の飼料槽２からの流下量を調節することもできる。
【００３４】
したがって養豚用給餌器として構成したこの実施例１の飼育動物用給餌器によれば、前記飼料槽２中に粒状の乾燥飼料を充填して使用を開始すると、該飼料槽２中の飼料が前記間隙３ｃを通じて流下し、該飼料槽２に接する奥支分摂食槽１ｂに滞留状態となる。
【００３５】
奥支分摂食槽１ｂへの流下量は、前記昇降操作部４ａのハンドル４ａ２を正逆回転させて、前記調節板４を昇降調節することによって決定する。また前記区画部材６もこれを手前奥方向に移動調節することにより、これによっても流下量を補助的に調節する。該区画部材６の移動調節は、先に述べたように、前記ボルト・ナット７、７…を緩めて行うことができるが、これは使用開始前に予め適切な状態に調節して固定状態にしておくのが良い。
【００３６】
飼育されている豚は、まずこのように奥支分摂食槽１ｂに滞留した飼料を摂取する。豚が飼料を摂取し、該奥支分摂食槽１ｂに於ける滞留分が減ると、その分だけ前記間隙３ｃを通じて飼料が流下し、該奥支分摂食槽１ｂ中の飼料は常時所定の量に維持される。このような飼料の摂取の際に、豚の摂取動作等により、奥支分摂食槽１ｂの飼料は、その一部が前記区画部材６を越えて手前支分摂食槽１ａに移動することがある。
【００３７】
そしてこのように手前支分摂食槽１ａに移動した飼料は、豚の涎や豚用の飲料水で濡れ、多くの場合湿潤状態になる。またこのような手前支分摂食槽１ａの飼料もいずれ豚によって摂取されることが多い。
【００３８】
豚による飼料の摂取は、通常、摂取すべき飼料を舌で掬って口の中に取り込むことで行われるものであるため、摂取の際に、飼料を奥側に押して行く傾向がある。その結果、豚による飼料の摂取は前記区画部材６の直前で行われることとなるのが普通である。そのため、該区画部材６の手前側がなだらかに構成されていると、これを越えて、手前支分摂食槽１ａの湿潤した飼料が奥支分摂食槽１ｂに逆流するおそれが生じる。しかしこの実施例１に於いては、該区画部材６の手前側が急峻に立ち上がった直立部６ｂに構成されているため、手前支分摂食槽１ａ中の湿潤した飼料はここで堰き止められ、奥支分摂食槽１ｂ側に戻ってしまうようなことはない。
【００３９】
したがって奥支分摂食槽１ｂには、手前支分摂食槽１ａから湿潤飼料が移動することがないため、その中の飼料が常時比較的乾燥した状態を保持し得、衛生状態を良好な状態に維持し得ることとなるものである。
【００４０】
＜実施例２＞
この実施例２の飼育動物用給餌器も、養豚用給餌器として構成するものであり、図３及び図４に示すように、平面から見て円形の給餌器本体の奥側（図４中、中央側）と手前側（図４中、外側）とを円筒状区画板１３で区画し、該円筒状区画板１３の外側を摂食槽１１とし、内側を飼料槽１２とする。
【００４１】
この実施例２では、上記円筒状区画板１３は途中から上方に向かって拡大するテーパ状に構成し、球面台状に構成した飼料槽１２の底部１５ａ上に直立状態に配する。該円筒状区画板１３は、図示しない昇降操作部によって昇降動作可能に支持し、前記底部１５ａとの間に調節可能な間隙１３ｃを生じさせる。
【００４２】
前記摂食槽１１の底部１５ｂは、図３及び図４に示すように、平面円形の平坦な面に構成し、前記球面台状の底部１５ａは該摂食槽１１の中央部にその底部１５ｂから垂直に立ち上げたものである。
【００４３】
また前記摂食槽１１は、図３及び図４に示すように、その底部１５ｂに前記飼料槽１２に対して同心円状に区画部材１６を配して、その内部を、手前側に位置する手前支分摂食槽１１ａと奥側に位置する奥支分摂食槽１１ｂとに区画する。上記区画部材１６は、図３に示すように、断面方向から見て直角三角形をなす環状部材に構成する。該区画部材１６は、その手前側を垂直に立ち上がる直立部１６ｂに構成し、かつその上端から奥側には下降傾斜する斜面部１６ｃに構成するものである。該区画部材１６は、前記飼料槽１２からの飼料の流出量を考慮して適切な径に構成する。また該摂食槽１１の最外部には、周縁に沿って区画部材１６と同様な縁部１７を立ち上げておくものとする。
【００４４】
したがって養豚用給餌器として構成したこの実施例２の飼育動物用給餌器によれば、前記飼料槽１２中に粒状の乾燥飼料を充填して使用を開始すると、該飼料槽１２中の飼料が前記間隙１３ｃを通じて流下し、該飼料槽１２に接する奥支分摂食槽１１ｂ中に滞留状態となる。
【００４５】
奥支分摂食槽１１ｂへの流下量は、前記昇降操作部を操作して前記円筒状区画板１３を昇降させ、前記間隙１３ｃの開度を調節することにより決定する。
【００４６】
飼育されている豚は、実施例１について説明したのと同様に、奥支分摂食槽１１ｂに滞留した飼料を摂取する。豚が飼料を摂取し、該奥支分摂食槽１１ｂに於ける滞留分が減ると、その分だけ前記間隙１３ｃを通じて飼料が流下し、該奥支分摂食槽１１ｂ中の飼料は常時所定の量に維持されこととなり、このような飼料の摂取の際に、豚の摂取動作等により、奥支分摂食槽１１ｂの飼料は、その一部が前記区画部材１６を越えて手前支分摂食槽１１ａに移動することがあるのも同様である。
【００４７】
そしてこのように手前支分摂食槽１１ａに移動した飼料は、豚の涎や豚用の飲料水で濡れ、先に述べたように、多くの場合湿潤状態になるが、この実施例２に於いても、前記区画部材１６の手前側が急峻に立ち上がった直立部１６ｂに構成されているため、豚の摂食動作によっても、手前支分摂食槽１１ａ中の湿潤した飼料は、ここで堰き止められ、奥支分摂食槽１１ｂ側に逆流させられるようなことはない。
【００４８】
したがって奥支分摂食槽１１ｂには、手前支分摂食槽１１ａから湿潤飼料が移動することがないため、その中の飼料が常時比較的乾燥した状態を保持し得、衛生状態を良好な状態に維持し得ることとなる。
【００４９】
【発明の効果】
本発明の１の飼育動物用給餌器によれば、手前の支分摂食槽に移動し湿潤状態になった飼料が奥側の支分摂食槽に移動することがないので、奥側に滞留する飼料に湿潤した飼料から水分を移行させるようなおそれがない。そのため奥側の支分摂食槽の飼料を衛生的に保持できると共に、ここに繋がる飼料槽内の飼料をも乾燥状態に維持し衛生状態を良好に保持できるものである。
【００５０】
本発明の２の飼育動物用給餌器によれば、飼料槽からの飼料の流出量をより適切に調節することができることとなるものである。
【図面の簡単な説明】
【図１】養豚用に構成した実施例１の飼育動物用給餌器の縦断面側面図。
【図２】養豚用に構成した実施例１の飼育動物用給餌器の底部の斜視図。
【図３】養豚用に構成した実施例２の飼育動物用給餌器の縦断面側面説明図。
【図４】養豚用に構成した実施例２の飼育動物用給餌器の概略平面説明図。
【符号の説明】
１　　摂食槽
１ａ　手前支分摂食槽
１ｂ　奥支分摂食槽
２　　飼料槽
２ａ　飼料槽の背後壁
３　　区画板
３ａ　ガイド板
３ｂ　収納空間
３ｃ　間隙
４　　調節板
４ａ　昇降操作部
４ａ１　操作部本体
４ａ２　ハンドル
４ａ３　操作棒
５ａ　飼料槽の底部
５ｂ　摂食槽の底部
５ｂ１　取付長孔
６　区画部材
６ａ　底板部
６ｂ　直立部
６ｃ　斜面部
７　　ボルト・ナット
１１　摂食槽
１１ａ　手前支分摂食槽
１１ｂ　奥支分摂食槽
１２　飼料槽
１３　円筒状区画板
１３ｃ　間隙
１５ａ　飼料槽の底部
１５ｂ　摂食槽の底部
１６　区画部材
１６ｂ　直立部
１６ｃ　斜面部
１７　縁部
【図１】
2004016173.tif 000003
【図２】
2004016173.tif 000004
【図３】
2004016173.tif 000005
【図４】
2004016173.tif 000006